(57)【要約】【課題】壁面に、収納箱などの構造物を容易に取り付けることが可能な壁面構造を提供する。【解決手段】本発明は、壁面に設けられる壁面構造であって、壁面に対して水平方向に延びるように長尺状に形成されるとともに、長手方向に延びる少なくとも一つの挿嵌溝を有する少なくとも一つの係合型材と、この係合型材の挿嵌溝に着脱自在に固定可能な挿嵌部を有する棚板と、棚板の少なくとも一方の側部に着脱自在に固定され、垂直方向に延びる側板とを備えている。【選択図】図１０
2008038585.tif 000002
【特許請求の範囲】
【請求項１】
壁面に設けられる壁面構造であって、
壁面に対して水平方向に延びるように長尺状に形成されるとともに、長手方向に延びる少なくとも一つの挿嵌溝を有する少なくとも一つの係合型材と、
棚板、及び当該棚板に取り付けられ前記係合型材の挿嵌溝に着脱自在に固定可能な挿嵌部を有する棚体と、
前記棚板の少なくとも一方の側部に着脱自在に固定され、垂直方向に延びる側板と
を備えている、壁面構造。
【請求項２】
前記棚板の両側部それぞれに前記側板が着脱自在に固定され、
前記棚板の上方及び下方の少なくとも一方において、前記両側板を着脱自在に連結する少なくとも一つの連結板をさらに備えている、請求項１に記載の壁面構造。
【請求項３】
少なくとも二つの前記係合型材が上下に平行に配置されるとともに、前記各係合型材に前記棚板がそれぞれ固定され、
前記側板は、前記各棚板の少なくとも一方の側部に着脱自在に固定される、請求項１に記載の壁面構造。
【請求項４】
前記係合型材に二つの前記棚板が隣接するように配置され、
前記側板は、前記両棚板の側部に着脱自在に固定されている、請求項１から３のいずれかに記載の壁面構造。
【請求項５】
前記側板には、突起が設けられており、
前記棚板の上面又は下面の側縁には、前記突起と着脱自在に係合する切欠部が形成されている、請求項１から４のいずれかに記載の壁面構造。
【請求項６】
前記係合型材には、二つの挿嵌溝が形成されるとともに、少なくとも二つの前記係合型材が上下方向に平行に配置されており、
下側の前記挿嵌溝には、上下に隣接する係合型材間に亘って壁面を覆う化粧パネルが着脱自在に固定され、
上側の前記挿嵌溝には、前記棚板が固定されている、請求項１から５のいずれかに記載の壁面構造。
【発明の詳細な説明】
【技術分野】
【０００１】
本発明は、壁面に設けられる収納箱などの構造物を有する壁面構造に関する。
【背景技術】
【０００２】
従来より、壁面に沿って水平方向に延びるレール状の係合型材を複数個平行に取り付け、この係合型材に化粧パネルや棚などを取り付けることで、壁面を装飾する壁面構造が提案されている。例えば、特許文献１に記載の壁面構造では、係合型材に棚板のほか、壁掛け式の収納箱が取り付けられている。
【特許文献１】特開２００３−２１９９２７号公報
【発明の開示】
【発明が解決しようとする課題】
【０００３】
ところが、上記のような壁面構造に、収納箱を取り付ける場合、収納箱を支えつつ壁面に取り付けなければならないため、収納箱が大きくなると、重量の増大から取付が困難になっていた。また、収納箱に限らず、例えば階段状の棚など、構造物が複雑になったり、大型化するほど、取付が困難になるという問題が生じていた。
【０００４】
本発明は、上記問題を解決するためになされたものであり、壁面に、収納箱などの構造物を容易に取り付けることが可能な壁面構造を提供することを目的とする。
【課題を解決するための手段】
【０００５】
本発明は、壁面に設けられる壁面構造であって、上記問題を解決するためになされたものであり、壁面に対して水平方向に延びるように長尺状に形成されるとともに、長手方向に延びる少なくとも一つの挿嵌溝を有する少なくとも一つの係合型材と、棚板及び当該棚板に取り付けられ前記係合型材の挿嵌溝に着脱自在に固定可能な挿嵌部を有する棚体と、前記棚板の少なくとも一方の側部に着脱自在に固定され、垂直方向に延びる側板と、を備えている。
【０００６】
この構成によれば、棚板の少なくとも一方の側部に垂直方向に延びる側板を取り付けることができるため、壁面に種々の構造物を形成することができる。例えば、複数の係合型材を壁面に平行に取り付け、これに棚板を取り付けるとともに、各棚板の一方に側板を取り付けて連結することで、階段状の棚を形成することができる。このように、棚板の側部に側板を取り付けることができるため、これを組み合わせていくことで、種々の構造物を形成することができる。また、棚板の側部に側板を取り付けるので、棚板の先端が上方及び下方へ移動するのを防ぐことができ、棚板が固定される。
【０００７】
例えば、棚板の両側部それぞれに側板を着脱自在に固定するとともに、棚板の上方及び下方の少なくとも一方において、両側板を着脱自在に連結する少なくとも一つの連結板を取り付けると、上下左右を囲む収納箱を形成することができる。
【０００８】
このとき、連結部材の代わりに棚板を用いることもできる。すなわち、少なくとも二つの係合型材を上下に平行に配置するとともに、各係合型材に棚板をそれぞれ固定し、側板を、各棚板の少なくとも一方の側部に着脱自在に固定されるようにしておけば、上下左右、または上下と左右の一方が閉じられた収納箱を形成することができる。このとき、上側の棚板は係合型材を介して壁面に固定されるため、収納箱の強度を向上することができる。
【０００９】
また、収納箱などの構造物を水平方向に隣接して設けたい場合には、次のように構成することができる。つまり、一の係合型材に二つの棚板を隣接するように配置し、一の側板が、両棚板の側部に着脱自在に固定されるように構成すればよい。このように構成することで、一つの側板が隣接する棚板の側板として共用されるので、組み立てが容易になるとともに、組み立てに要する時間、費用を低減することができる。
【００１０】
側板と、棚板の固定には、種々の方法を採ることができるが、例えば、側板に、突起を設けるとともに、棚板の上面又は下面の側縁に、突起と着脱自在に係合する切欠部を形成することで、両者を固定することができる。こうすることで、側板の重量を棚板が支持するようになるが、棚板は係合型材を介して壁面に強固に固定されるので、構造物を安定して壁面に固定することができる。なお、これを反対にしてもよい。すなわち、棚板に突起を設けるとともに、側板にこれが係合する穴を設けるようにすることもできる。
【００１１】
上記のような壁面構造では、壁面を覆う化粧パネルを設けることが好ましい。例えば、次のように構成することができる。すなわち、係合型材に、二つの挿嵌溝を形成するとともに、少なくとも二つの係合型材を上下方向に平行に配置し、下側の前記挿嵌溝には、上下に隣接する係合型材間に亘って壁面を覆う化粧パネルを着脱自在に固定するとともに、上側の前記挿嵌溝に、棚板を固定すればよい。この構成により、壁面に棚や収納箱などの構造物とともに、化粧パネルで覆うことができる。化粧パネルは、例えば、下地用の板材の表面に化粧シートを貼り付けたものを用いることができる。
【００１２】
また、本発明は、壁面に設けられる壁面構造であって、壁面に対して水平方向に延びるように長尺状に形成されるとともに、長手方向に延びる少なくとも一つの挿嵌溝を有する少なくとも一つの係合型材と、前記係合型材の挿嵌溝に着脱自在に固定可能な挿嵌部を有する棚板と、前記棚板の少なくとも一方の側部に着脱自在に固定され、垂直方向に延びる側板と、を備えている。
【発明の効果】
【００１３】
本発明に係る壁面構造によれば、壁面に、収納箱などの構造物を容易に取り付けることができる。
【発明を実施するための最良の形態】
【００１４】
以下、本発明に係る壁面構造の一実施形態について図面を参照しつつ説明する。図１は、本実施形態に係る壁面構造の斜視図、図２は図１のＡ−Ａ線断面図である。なお、以下の説明では、壁面から突出する方向を「前」、その反対方向を「後」と称することとする。
【００１５】
図１及び図２に示すように、この壁面構造は、壁面Ｗを装飾するためのものであり、複数の化粧パネルＢによって壁面Ｗを覆っている。また、この化粧パネルＢ上に収納箱Ｇが取り付けられている。より詳細には、水平方向に延びる複数の係合型材Ａ，Ｓ，Ｔを上下に平行に並べるとともに、これらの間に基板Ｆを配置する。そして、係合型材Ａ，Ｓ，Ｔ及び基板Ｆは、壁面Ｗに対して釘、ねじ等で固定する。以上の係合型材Ａ，Ｓ及び基板Ｆによって壁下地材Ｍが形成される。そして、この壁下地材Ｍを覆うように、複数の化粧パネルＢを配置する。各化粧パネルＢは、係合型材Ａ，Ｓ，Ｔに対して固定されるとともに、基板Ｆに対しても固定される。そして、化粧パネルＢを覆うように、収納箱Ｇが取り付けられている。以下、上述した各部材について詳細に説明する。
【００１６】
図３は化粧パネルの斜視図、図４は化粧パネルの背面に取り付けられる取付具の斜視図（ａ）及び断面図（ｂ）である。化粧パネルＢは、矩形状の化粧ボード２０の背面上部に、取付具Ｄを取り付けることで構成されている。化粧ボード２０は、例えば、木質系基材の一方面に、化粧シートを貼り付けたものであり、化粧シートを貼り付けた面が表面となる。木質系基材としては、例えば、一般木材、中密度繊維板（いわゆる、ＭＤＦ）、合板、パーティクルボード等を用いることかできる。一方、化粧シートとしては、例えば、木目調、石目調、皮革調、布目調、ヘアーライン調等のシートを用いたり、或いは布等をシートとして貼り付けることができる。さらに、天然木や天然石そのものからなる化粧材であってもよい。また、化粧ボード２０の背面上部には、水平方向に延びる挿入溝２１が形成されており、この挿入溝２１に次に説明する取付具Ｄが取り付けられる。一方、化粧ボード２０の下端部の両側付近には、スナップ式の一対の取付突起２２が形成されている。
【００１７】
取付具Ｄはアルミニウム等の金属、あるいは、合成樹脂で形成された板状固定部１０を有しており、長手方向の両端付近には、ねじ穴Ｒが形成されている。また、板状固定部１０の上端部には前方及び後方に突出部が設けられている。後方への突出部は、板状固定部１０から略垂直方向に突出し、断面円弧状に形成された板状挿嵌部１１を構成している。一方、前方への突出部は、表面に凹凸が形成された挿入突起部１２を構成している。そして、図３に示すように、この挿入突起部１２が上述した化粧ボード２０の挿入溝２１に嵌合するとともに、ねじ穴ＲにねじＱが挿通されることで、取付具Ｄが化粧ボード２０に固定される。
【００１８】
図２に示すように、基板Ｆは、例えば、一般木材、合板、中密度繊維板（いわゆる、ＭＤＦ）、無機板、パーティクルボード等で構成することができる。そして、最も左側に配置される基板Ｆを除いて、水平方向の左側の端部が切り欠かれている（図１０参照）。また、表面の下端部には、上述した化粧パネルＢの取付用突起２２が嵌る取付孔３７が形成されている。
【００１９】
図５〜図７は、それぞれ係合型材を示す斜視図（ａ）及び断面図（ｂ）である。係合型部は、３種類のものがある。すなわち、図２に示すように、壁面構造の最も上端に配置される第１係合型材Ｓ、上下方向に並ぶ基板Ｆと基板Ｆの間に配置される第２係合型材Ａ、及び最も下端に配置される第３係合型材Ｔである。
【００２０】
まず、第１係合型材Ｓから説明する。図２に示すように、この係合型材Ｓは、壁面構造の最上端に配置されるものであり、この係合型材Ｓの下部に基板Ｆの上端が嵌め込まれる。すなわち、この係合型材Ｓの上部には、基板は存在しない。図５に示すように、第１係合型材Ｓは、アルミニウム等の金属で形成され、水平に延びる挿嵌部Ｌを備えている。この挿嵌部Ｌは、壁面から水平に突出するように延びる上板１’と下板２’を備え、この間に、断面が上向き円弧状で下端に挿入口３ｂを有する挿嵌溝３３が形成されている。また、挿嵌部Ｌの下面の後部には逆コの字状の取付縁８’が垂下し、挿嵌部Ｌの下面の前部には取付縁８’と所定間隔を開けて板状の垂下状突起７’が垂下している。また、取付縁８’の長手方向の両端付近及び中央には、ねじ穴Ｒが形成されている。そして、取付縁８’と垂下状突起７’との間には、後述する基板Ｆが嵌合される。
【００２１】
次に、第２係合型材Ａについて説明する。上述したように、この係合型材は、上下方向に並ぶ基板Ｆと基板Ｆの間に配置されるものである。図６に示すように、この係合型材Ａはアルミニウム等の金属で形成され、水平方向に延びる上板１と下板２とを有する挿嵌部Ｌを備えている。上板１と下板２の間には、上段挿嵌溝３と下段挿嵌溝４とからなる上下二段の２条の挿嵌溝が形成されている。各挿嵌溝３，４は、それぞれ断面が上向き円弧状で下端にそれぞれ上段挿入口３ａと下段挿入口４ａを有している。
【００２２】
下板２の下面の後端部には、逆Ｌ字状の支持縁９が垂下し、同じく下面の前端部には、支持縁９から所定間隔をおいて板状の垂下状突起７が垂下している。そして、これら支持縁９と前記垂下状突起７との間には、後述するように、基板Ｆが嵌合される。一方、上板１の上面の後部には、前側に開口する断面コの字状の板状取付縁８が立設し、上板上面の前部には、板状取付縁８と所定間隔をあけて板状の垂直状突起６が立設している。また、板状取付縁８の水平方向両端には、一対のねじ穴Ｒが形成されている。そして、取付縁８と垂直状突起６との間には、後述するように、基板Ｆが嵌合される。
【００２３】
続いて、第３係合型材について説明する。この係合型材は、壁面構造の最下端に配置されるものであり、図２に示すように、最も下部に配置される基板Ｆの下端に、この係合型材Ｔが取り付けられる。図７に示すように、この係合型材Ｔはアルミニウム等の金属で形成され、水平方向に延びる下板２”の前端部に垂直上方に突出する板状突起３４を備えた断面ｈ字状の突起部が設けられている。また、下板２”の後端部には、垂直上方に起立形成された断面略柄杓（ひしゃく）状の取付縁８”が設けられている。また、取付縁８”には、水平方向に沿って３つのねじ穴Ｒが形成されている。
【００２４】
なお、図５〜図７においては、いずれもねじ穴Ｒを取付縁８，８’，８”に穿設したものを示したが、たとえば、材料がアルミニウムの押出し型材からなる場合は、予めねじ穴Ｒを設けることなく取り付け時に取付縁８，８’，８”に直接にねじを螺着してもよいものである。
【００２５】
続いて、収納箱Ｇについて説明する。本実施形態に係る収納箱Ｇは、上下方向に並ぶ一対の棚体Ｎの側部それぞれに側板Ｋを取り付けることで構成されている。このように本実施形態の収納箱Ｇは、一対の棚体Ｎと、一対の側板Ｋとで構成されている。以下、各部材について説明する。
【００２６】
まず、棚体Ｎについて説明する。図２に示すように、この棚体Ｎは、棚板Ｖと、これを支持する棚受け用係止型材Ｃとで構成されている。棚受け用型材Ｃはアルミニウム等の金属で形成され、垂直方向に延びる支持板部１７を備えており、この支持板部１７の上端には、前方に水平に延びる棚板挟持用上板１６が連結されている。そして、この支持板部１７の中間には、前方に延びる棚板挟持用下板１８が設けられており、棚板挟持用上板部１６との間に棚板Ｖが挿入されるとともに、下板１８によって棚板Ｖが支持される。また、支持板部１７において、上板１６と下板１８との間には、後方へ水平に延びる板状挿嵌部１５が設けられている。この板状挿嵌部１５は、先端が上方を向くように断面弧状に形成されている。また、棚板狭持用下板１８には、貫通孔が形成されており、この貫通孔に挿通されたネジ１８１によって棚板Ｖが下板１８に固定される。
【００２７】
また、棚板挟持用下板１８の前端部からは、壁面に向かって斜め下方に延びる板状の傾斜部４１が連結されている。この傾斜部４１の下端は支持板部１７の下端に連結し、側面視直角三角形の補強部を形成している。そして、この補強部の下端部が化粧パネルＢに当接し、これによって棚板Ｖに下向きの荷重が作用したときに、棚板Ｖが下方に撓むのを防止している。
【００２８】
図８は、棚板の平面図である。同図に示すように、棚板Ｖの上面の両側縁には、二対の切欠部１９が形成されており、この切欠部１９に後述する側板Ｋの突起５１が係合する。この切欠部１９には、例えば、ジョイント金具等の公知の締め付け機構２３が設けられており、ドライバーなどで切欠部１９に係合する突起５１を締め付けることができる。
【００２９】
次に、側板について説明する。図９は側板の正面図である。同図に示すように、側板Ｋは、板状の基部５２と、この基部５２上に設けられた突起５１とで構成されている。基部５２は、上述した化粧パネルＢと同様に、基材上に化粧パネルを貼り付けることで構成されている。側板Ｋの高さは、係合型材Ａの間隔とほぼ同じである。一方、突起５１は上述した棚板Ｖの切欠部１９に係合するように構成されている。本実施形態では、上記棚板Ｖの切欠部１９に対応するように、側板Ｋの上下の端部付近に、それぞれ２個の突起５１が設けられている。また、側板Ｋの後部にパッキン等の部材を取り付けるように構成してもよい。
【００３０】
次に、上記のように構成された壁面構造の施工方法について図１、図２及び図１０を参照しつつ説明する。図１０は壁面に取り付けた壁下地材の平面図である。
【００３１】
壁下地材Ｍの取り付け方法としては、まず、第３係合型材Ｔを、壁面Ｗに対して水平にねじ穴ＲにねじＱを螺着することで、壁面Ｗに取り付ける。そして、基板Ｆの下端を第３係合型材Ｔの板状突起３４と取付縁８”との間に嵌合する。次に、基板Ｆの上端部に第２係合型材Ａを嵌合するとともに、この第２係合型材Ａを壁面Ｗに取り付ける。この取り付けは、ねじ穴ＲにねじＱを螺着することで行う。また、基板Ｆの上端は、第２係合型材Ａの支持縁９と垂下状突起７との間に嵌入する。続いて、新たな基板Ｆの下端部を第２係合型材Ａの取付縁８と垂直状突起６との間に嵌合する。
【００３２】
これに続いて、上記と同様に、新たな第２係合型材Ａと基板Ｆの取り付けを行う。そして、最上段の基板Ｆの上端に、第１係合型材Ｓを嵌合する。このとき、基板Ｆの上端は、係合型材Ｓの取付縁８’と垂下状突起７’とで挟むようにする。また、第１係合型材Ｓは、螺子孔Ｒを貫通するように螺子Ｑを壁体Ｗに螺着することで、基板Ｆとともに壁体Ｗに固定する。そして、各基板Ｆにねじまたは釘を打ち付け、基板Ｆ自体を壁体Ｗに固定する。以上の作業は、上下方向の一列の取付のみを説明したが、図１０に示すように、横方向には、同時に３枚の基板Ｆを取り付け、これを上方へと継ぎ足しつつ合計９枚の基板Ｆを取り付ける。また、３枚の基板Ｆを横方向に連結して一体化された基板Ｆを用いて取り付けるようにしてもよい。
【００３３】
こうして、壁下地材Ｍの取付が完了すると、化粧パネルＢの取付を行う。このとき、化粧パネルＢは、各基板Ｆを覆うように、合計９枚用いる。化粧パネルの取付は、背面の取付具Ｄの板状挿嵌部１１を各係合型材Ａ，Ｓの挿嵌溝４，３３に嵌め込むとともに、取付突起２２を基板Ｆの取付孔３７に嵌め込むことで行う。このとき、第２係合型材Ａに対しては、下段の挿嵌溝４に化粧パネルＢの板状挿嵌部１１を嵌め込む。
【００３４】
続いて、収納箱Ｇの組み立てを行う。まず、棚体Ｎを取り付ける。つまり、下から２段目と３段目の係合型材Ａの長手方向の端部から上段の挿嵌溝３に、棚体Ｎの挿嵌部１５をそれぞれ挿入し、挿嵌溝３に沿って所定の位置までスライドする。或いは、棚板Ｖの前部をやや上方に傾け、挿嵌部１５を挿嵌溝３の正面から、弧状の形状に沿うように挿入することもできる。取り付けられた棚体Ｎは、挿嵌部１５が弧状に形成されているため、水平方向への抜けが防止される。こうして、棚体Ｎが上下二段に取り付けられる。次に、側板Ｋの取付を行う。図１１に示すように、各棚板Ｖの側部の切欠部１９に、上方から側板Ｋの突起部５１を係合させる。これにより、図１に示すような上下左右が閉じた収納箱Ｇが形成される。
【００３５】
以上のように、本実施形態によれば、棚板Ｖの側部に垂直方向に延びる側板Ｋを取り付け可能に構成されているため、これらを組み合わせていくことで、上記のように収納箱Ｇを形成することができる。したがって、従来のように、すでに組み立てられた収納箱を取り付けるのではなく、壁面において収納箱を組み立てていくので、重量が軽く、組み立てを容易に行うことができる。
【００３６】
以上、本発明の一実施形態について説明したが、本発明はこれに限定されるものではなく、その趣旨を逸脱しない限りにおいて、種々の変更が可能である。例えば、上記実施形態では、９枚の化粧パネルＢを用いているが、これ以外の数の化粧パネルＢを用いてもよく、用いる化粧パネルＢの数に合わせて、係合型材Ａの数も適宜変更すればよい。また、上記実施形態では、壁面Ｗに収納箱Ｇを取り付けているが、これに限定されるものではなく、棚体Ｎと側板Ｋとを組み合わせで、種々の構造物を形成することができる。例えば、図１２に示すように、複数段のＬ字型の棚を作ることができる。
【００３７】
また、上記説明では、係合型材の上下の間隔と同じ高さの側板Ｋを用いたが、長い側板を用いることもできる。この場合、各棚板Ｎと対応する複数の位置に、突起５１を設けておけば、縦に長い収納箱を形成することかできる。このとき、図１３に示すように、水平方向に隣接する棚体Ｎの間に一の側板Ｋを取り付けて側板を共用することもできる。この場合、側板Ｋの両側に突起５１を設けておく。このような側板Ｋを用いた構造物の例を図１４に示す。この例では、８枚の棚体Ｎを用いるとともに、３枚の側板Ｋを用いることで、６つに区切られた収納箱Ｇを形成している。
【００３８】
また、収納箱を形成する場合、最上部を覆う部材は、棚板でなくてもよく、側板Ｋを連結できるような板材（連結部材）であればよい。例えば、図１５に示すように、板材Ｘの下面に、棚板Ｖと同様の切欠部２５を形成しておき、この切欠部２５に側板Ｋの突起５１を係合させる。この板材Ｘは、棚体Ｎのように係合型材３に取り付けられるのではなく、側板Ｋにしか固定されていない。したがって、このような板材Ｘは、収納箱の複数の位置に棚体Ｎを用い、強度が特に要求されない部分を塞ぐ場合に用いることが好ましい。なお、この例では、側板Ｋの上部を板材Ｘで連結しているが、側板Ｋの下部を板材で連結することもできる。また、板材の数は、限定されるものではなく、複数枚用いることもでき、この場合、板材を収納箱の中に配置して棚板として使用することもできる。
【００３９】
また、棚受け用係止型材も棚板を支持するとともに、係合型材に固定可能であれば、その形状は特には限定されない。例えば、図１６には、２種類の棚受け用係止型材に支持された棚板が図示されている。図１６（ａ）に示す棚受け用係止型材２１０は、図１で示したものと異なり、傾斜部４１が設けられていない。より詳細には、棚板Ｖを上下から挟持する棚板挟持用上板２１１と棚板挟持用下板２１２とが設けられ、これらはその後端部で垂直方向に延びる支持板部２１３に連結されている。棚板挟持用下板２１２は、棚板Ｖの下面の大部分を覆う大きさにされているが、棚板挟持用上板２１１は、下板２１２よりも短く形成されている。また、支持板部２１３の中間部には、後方へ延びる断面弧状の板状挿嵌部２１４が連結されている。棚板Ｖは、棚板挟持用上板２１１と棚板挟持用下板２１２との間に挟持され、棚板挟持用下板２１２に挿通されたボルト２１５によって固定されている。また、棚板挟持用下板２１２は、支持板部２１３から後方へ延長されており、その後端部が化粧パネルＢに当接している。これによって棚板Ｖに下向きの荷重が作用したときに、棚板Ｖが下方に撓むのを防止している。さらに、支持板部２１３と化粧パネルＢとの間には、長尺状（紙面の垂直方向に延びる）のガスケット２３０が嵌め込まれており、係合型材Ａの長手方向への棚体２１０のズレを防止している。
【００４０】
また、図１６（ｂ）に示す棚受け用係止型材２２０が、上記図１６（ａ）と異なるのは、棚板挟持用上板がなく、支持板部２２３の長さも短くなっている点である。そして、板状挿嵌部２２４は、支持板部２２３の上端から後方へ延びている。また、支持板部２２３の上端から前方へは鋸状の固定金具２２６が延びており、この固定金具２２６が棚板Ｖの後端面にねじ込まれるとともに、ボルト２２５が取り付けられることで棚板Ｖが棚受け用係止型材２２０に固定されている。さらに、図１６（ａ）と同様に、棚板Ｖと化粧パネルＢとの間には、長尺状のガスケット２３０が嵌め込まれており、係合型材Ａの長手方向への棚体２２０のズレを防止している。
【００４１】
以上のように傾斜部を設けないことで、棚板Ｖよりも下に配置されるのは、棚板挟持用下板２１２，２２２のみとなるので、見た目がよくなる。また、収納箱の容積が傾斜部によって狭められることがないという利点もある。また、棚板Vの左右方向の両端のいずれかに側板Kを固定したとき、側板Kが棚受け用係止型材Cの傾斜部４１の機能を代替している。
【００４２】
また、側板Ｋと棚板Ｖとの固定も上記実施形態以外の方法でもよく、両者が着脱自在に固定されれば、特には限定されない。例えば、図１７に示すように、棚板Ｖの側端面に水平方向に延びる切欠部３３０を形成するとともに、この切欠部３３０と連通する垂直方向の切欠部３２０を棚板Ｖの下面又は上面（図示せず）から形成する。一方、側板Ｋには、先端付近に小径の絞り部３０２が形成されたボルト３００を取り付け、このボルト３００を棚板Ｖの切欠部３３０に挿通する。そして、棚板Ｖの下面又は上面（図示せず）から切欠部３２０に挿入された固定金具３１０とボルト先端の絞り部３０２とを係合させることで、ボルト３００を棚板Ｖに固定する。ここで用いられるボルト３００と固定金具３１０は、例えば、榎本金属株式会社製ミニフィックスを用いることができる。
【００４３】
また、側板Ｋを強固に固定するには、図１８のようにすることもできる。図１８は、壁面構造の縦断面図である。まず、図１８（ａ）に示すように、側板Ｋにおいて化粧パネルＢ側を向く端面に固定用の突出部材５００を取り付けておく。この突出部材５００は、垂直方向に沿って延びる板状の部材である。また、側板Ｋの端面において突出部材５００の両側には、ガスケット５０１を設けておく。一方、壁面に固定された基板Ｆ間の凹部には、突出部材５００を受ける断面コ字状の受け部材５２０を取り付けておく。そして、側板Ｋを棚体に固定する際に、図１８（ｂ）に示すように、側板Ｋの突出部材５００を化粧パネルＢ間の隙間から受け部材５２０に挿入すれば、側板Ｋが棚板Ｖのみならず、壁下地材にも固定されるため、側板Ｋの安定性が大きく向上する。
【図面の簡単な説明】
【００４４】
【図１】本発明に係る壁面構造の一実施形態を示す斜視図である。
【図２】図１のＡ−Ａ線断面図である。
【図３】図１の壁面構造に用いられる化粧パネルの斜視図である。
【図４】図３の化粧パネルの背面に取り付けられる取付具の斜視図（ａ）及び断面図（ｂ）である。
【図５】図１の壁面構造に用いられる第１係合型材の斜視図（ａ）、及び断面図（ｂ）である。
【図６】図１の壁面構造に用いられる第２係合型材の斜視図（ａ）、及び断面図（ｂ）である。
【図７】図１の壁面構造に用いられる第３係合型材の斜視図（ａ）、及び断面図（ｂ）である。
【図８】棚板の平面図である。
【図９】側板の正面図である。
【図１０】壁面に取り付けた壁下地材の平面図である。
【図１１】図１の収納箱の組み立て図である。
【図１２】壁面に形成される構造物の例を示す正面図である。
【図１３】収納箱の組み立ての他の例を示す図である。
【図１４】壁面に形成される収納箱の他の例を示す斜視図である。
【図１５】収納箱の組み立ての他の例を示す図である。
【図１６】棚受け用係止型材の他の例を示す断面図である。
【図１７】側板と棚板との固定方法の他の例を示す断面図である。
【図１８】側板の固定方法の一例を示す断面図である。
【符号の説明】
【００４５】
Ｂ      化粧パネル
Ａ，Ｓ，Ｔ    係合型材
Ｖ        棚板
Ｋ        側板
３，４      挿嵌溝
１５        板状挿嵌部
【図１】
2008038585.tif 000003
【図２】
2008038585.tif 000004
【図３】
2008038585.tif 000005
【図４】
2008038585.tif 000006
【図５】
2008038585.tif 000007
【図６】
2008038585.tif 000008
【図７】
2008038585.tif 000009
【図８】
2008038585.tif 000010
【図９】
2008038585.tif 000011
【図１０】
2008038585.tif 000012
【図１１】
2008038585.tif 000013
【図１２】
2008038585.tif 000014
【図１３】
2008038585.tif 000015
【図１４】
2008038585.tif 000016
【図１５】
2008038585.tif 000017
【図１６】
2008038585.tif 000018
【図１７】
2008038585.tif 000019
【図１８】
2008038585.tif 000020